(57)【要約】      （修正有）【課題】光ファイバの絡まりを防止することができ、対応する番号のプローブを容易に探し出すことができる光ファイバ保持台を提供する。【解決手段】光測定装置に用いられる光ファイバ保持台であって、送光用光ファイバ３０ａの先端部における各送光プローブ１２を各固定位置５１ａに固定するとともに、受光用光ファイバ４０ａの先端部における各受光プローブ１３を各固定位置５１ａに固定するための固定部５０を有し、各送光プローブ１２と各受光プローブ１３とには異なる番号がそれぞれ振り当てられるとともに、各固定位置５１ａのそれぞれにも異なる番号が振り当てられており、各送光プローブ１２と各受光プローブ１３とは、それぞれ対応する番号の固定位置５１ａに固定されるようにする。【選択図】図４
0003183129.tif 000002
【実用新案登録請求の範囲】
【請求項１】
被検者の頭皮表面上に配置されるＡ個の送光プローブと、
当該頭皮表面上に配置されるＢ個の受光プローブと、
筐体を有し、当該筐体の内部に光を出射する発光部と当該光を検出する光検出部とを備える装置本体と、
Ａ本の送光用光ファイバからなる送光用光ファイバ群と、
Ｂ本の受光用光ファイバからなる受光用光ファイバ群とを備え、
１本の送光用光ファイバは１個の送光プローブと発光部とが設定長さで離れるように、両端部に１個の送光プローブと発光部とを接続し、１本の受光用光ファイバは１個の受光プローブと光検出部とが設定長さで離れるように、両端部に１個の受光プローブと光検出部とを接続する光測定装置に用いられる光ファイバ保持台であって、
前記送光用光ファイバの先端部における各送光プローブを各固定位置に固定するとともに、前記受光用光ファイバの先端部における各受光プローブを各固定位置に固定するための固定部を有し、
各送光プローブと各受光プローブとには異なる番号がそれぞれ振り当てられるとともに、各固定位置には異なる番号がそれぞれ振り当てられており、
各送光プローブと各受光プローブとは、対応する番号の固定位置にそれぞれ固定されるようになっていることを特徴とする光ファイバ保持台。
【請求項２】
前記固定部は、複数個の分割固定部に分離されていることを特徴とする請求項１に記載の光ファイバ保持台。
【請求項３】
各分割固定部には、Ａ個より少ないＣ個の送光プローブと、Ｂ個より少ないＤ個の受光プローブとがそれぞれ固定されるようになっていることを特徴とする請求項２に記載の光ファイバ保持台。
【請求項４】
被検者の頭皮表面上に配置されるＡ個の送光プローブと、
当該頭皮表面上に配置されるＢ個の受光プローブと、
筐体を有し、当該筐体の内部に光を出射する発光部と当該光を検出する光検出部とを備える装置本体と、
Ａ本の送光用光ファイバからなる送光用光ファイバ群と、
Ｂ本の受光用光ファイバからなる受光用光ファイバ群とを備え、
１本の送光用光ファイバは１個の送光プローブと発光部とが設定長さで離れるように、両端部に１個の送光プローブと発光部とを接続し、１本の受光用光ファイバは１個の受光プローブと光検出部とが設定長さで離れるように、両端部に１個の受光プローブと光検出部とを接続する光測定装置であって、
前記送光用光ファイバの先端部における各送光プローブを各固定位置に固定するとともに、前記受光用光ファイバの先端部における各受光用プローブを各固定位置に固定するための固定部を有する光ファイバ保持台を備え、
各送光プローブと各受光プローブとには異なる番号がそれぞれ振り当てられるとともに、各固定位置には異なる番号がそれぞれ振り当てられており、
各送光用プローブと各受光用プローブとは、対応する番号の固定位置にそれぞれ固定されるようになっていることを特徴とする光測定装置。
【考案の詳細な説明】
【技術分野】
【０００１】
本考案は、光ファイバ保持台及びそれを備える光測定装置に関し、さらに詳細には、光を用いて被検者の内部における測定部位に関する受光量情報を得る光脳機能イメージング装置に関する。
【背景技術】
【０００２】
近年、脳の活動状況を観察するために、光を用いて簡便に非侵襲で測定する光脳機能イメージング装置が開発されている。このような光脳機能イメージング装置では、被検者の頭皮表面上に配置した送光プローブにより、異なる３種類の波長λ１、λ２、λ３（例えば、７８０ｎｍと８０５ｎｍと８３０ｎｍ）の近赤外光を脳に照射するとともに、頭皮表面上に配置した受光プローブにより、脳から放出された各波長λ１、λ２、λ３の近赤外光の強度変化（受光量情報）ΔＡ（λ１）、ΔＡ（λ２）、ΔＡ（λ３）をそれぞれ検出する。
そして、このようにして得られた受光量情報ΔＡ（λ１）、ΔＡ（λ２）、ΔＡ（λ３）から、脳血流中のオキシヘモグロビンの濃度変化・光路長積[oxyHb]と、デオキシヘモグロビンの濃度変化・光路長積[deoxyHb]とを求めるために、例えばModified Beer Lambert則を用いて関係式（１）（２）（３）に示す連立方程式を作成して、この連立方程式を解いている。さらには、オキシヘモグロビンの濃度変化・光路長積[oxyHb]と、デオキシヘモグロビンの濃度変化・光路長積[deoxyHb]とから総ヘモグロビンの濃度変化・光路長積（[oxyHb]＋[deoxyHb]）を算出している。
ΔＡ（λ１）＝ＥＯ（λ１）×[oxyHb]＋Ｅｄ（λ１）×[deoxyHb]・・・（１）
ΔＡ（λ２）＝ＥＯ（λ２）×[oxyHb]＋Ｅｄ（λ２）×[deoxyHb]・・・（２）
ΔＡ（λ３）＝ＥＯ（λ３）×[oxyHb]＋Ｅｄ（λ３）×[deoxyHb]・・・（３）
なお、ＥＯ（λｍ）は、波長λｍの光におけるオキシヘモグロビンの吸光度係数であり、Ｅｄ（λｍ）は、波長λｍの光におけるデオキシヘモグロビンの吸光度係数である。
【０００３】
ここで、送光プローブと受光プローブとの間の距離と、測定部位との関係について説明する。図５は、一対の送光プローブ及び受光プローブと、測定部位との関係を示す図である。送光プローブ１２が被検者の頭皮表面の送光点Ｔに押し当てられるとともに、受光プローブ１３が被検者の頭皮表面の受光点Ｒに押し当てられる。そして、送光プローブ１２から光を照射させるとともに、受光プローブ１３に頭皮表面から放出される光を入射させる。このとき、頭皮表面の送光点Ｔから照射された光のうちで、バナナ形状（測定領域）を通過した光が頭皮表面の受光点Ｒに到達する。これにより、測定領域の中でも、特に送光点Ｔと受光点Ｒとを被検者の頭皮表面に沿って最短距離で結んだ線の中点Ｍから、送光点Ｔと受光点Ｒとを被検者の頭皮表面に沿って最短距離で結んだ線の距離の半分の深さである被検者の測定部位Ｓに関する受光量情報ΔＡ（λ１）、ΔＡ（λ２）、ΔＡ（λ３）が得られるとしている。
【０００４】
また、光脳機能イメージング装置では、脳の複数箇所の測定部位に関するオキシヘモグロビンの濃度変化・光路長積[oxyHb]、デオキシヘモグロビンの濃度変化・光路長積[deoxyHb]及び総ヘモグロビンの濃度変化・光路長積（[oxyHb]＋[deoxyHb]）をそれぞれ測定することが行われている（例えば、特許文献１参照）。図６は、従来の光脳機能イメージング装置の概略構成の一例を示すブロック図である。また、図７は、非使用時の光脳機能イメージング装置の外観の一例を示す斜視図であり、図８は、測定時の光脳機能イメージング装置の外観の一例を示す斜視図である。なお、見やすくするために、数本の送光用光ファイバと数本の受光用光ファイバとを省略している。
【０００５】
光脳機能イメージング装置１０１は、筐体９１を有する装置本体９０と、被検者の頭皮表面に装着させるホルダ１０と、３２個（Ａ個）の送光プローブ１２Ｔ１〜１２Ｔ３２と、３２個（Ｂ個）の受光プローブ１３Ｒ１〜１３Ｒ３２と、３２本（Ａ本）の送光用光ファイバ３０ａからなる送光用光ファイバ群３０と、３２本（Ｂ本）の受光用光ファイバ４０ａからなる受光用光ファイバ群４０と、送光用光ファイバ群３０及び受光用光ファイバ群４０が係止される光ファイバ保持台１８０とにより構成される。
【０００６】
装置本体９０は、筐体９１の内部に、近赤外光を出射する発光部２と、受光量情報ΔＡｎ（λｍ）を検出する光検出部３と、光脳機能イメージング装置１０１全体の制御を行うコンピュータ２０とを備えるとともに、筐体９１の外部に、表示装置２３及び入力装置２２と、４個の車輪９２とを備える。なお、コンピュータ２０は、ＣＰＵ２１とメモリ２５とを備え、モニタ画面２３ａ等を有する表示装置２３と、キーボード２２ａやマウス２２ｂ等を有する入力装置２２とが連結されている。
【０００７】
送光用光ファイバ３０ａと受光用光ファイバ４０ａとは、例えば直径２ｍｍ、長さ２ｍ〜１０ｍの管状であり、近赤外光を軸方向に伝達することができ、一端部から入射した近赤外光が、内部を通過して他端部から出射したり、他端部から入射した近赤外光が、内部を通過して一端部から出射するようになっている。そして、１本の送光用光ファイバ３０ａは、１個の送光プローブ１２と、筐体９１の内部の発光部２とを設定長さ（２ｍ〜１０ｍ）で離隔するように両端部に接続している。また、１本の受光用光ファイバ４０ａは、１個の受光プローブ１３と、筐体９１の内部の光検出部３とを設定長さ（２ｍ〜１０ｍ）で離隔するように両端部に接続している。
【０００８】
図９は、送光プローブ（受光プローブ）の一例を示す斜視図であり、図１０は、ホルダの一例を示す斜視図である。送光プローブ１２は円筒形状であり、その外周面は、ホルダ１０の貫通孔１０ａに固定できるようになっており、その内周面には、送光用光ファイバ３０ａの一端部が挿入されている。これにより、送光用光ファイバ３０ａの他端部が、発光部２と接続されているので、送光用光ファイバ３０ａの他端部から入射した近赤外光が、送光用光ファイバ３０ａの内部を通過して送光用光ファイバ３０ａの一端部（送光プローブの先端）から出射することができるようになっている。また、受光プローブ１３も、送光プローブ１２と同様の構造をしており、円筒形状であって、その外周面は、ホルダ１０の貫通孔１０ａに固定できるようになっており、その内周面には、受光用光ファイバ４０ａの一端部が挿入されている。これにより、受光用光ファイバ４０ａの他端部が、光検出部３と接続されているので、受光用光ファイバ４０ａの一端部（受光プローブの先端部）から入射した近赤外光が、受光用光ファイバ４０ａの内部を通過して受光用光ファイバ４０ａの他端部から出射することができるようになっている。
【０００９】
このような３２個の送光プローブ１２Ｔ１〜１２Ｔ３２と３２個の受光プローブ１３Ｒ１〜１３Ｒ３２とを所定の配列で被検者の頭皮表面に接触させるために、ホルダ１０が使用されている。ホルダ１０には、６４個（Ａ＋Ｂ個）の貫通孔１０ａが行方向と列方向とに各３０ｍｍの間隔をあけて形成されている。そして、測定を行う際には、３２個の送光プローブ１２Ｔ１〜１２Ｔ３２と３２個の受光プローブ１３Ｒ１〜１３Ｒ３２とが、ホルダ１０の貫通孔１０ａに、行方向と列方向とに交互となるように挿入されることになる。このとき、ホルダ１０のどの貫通孔１０ａに、どの送光プローブ１２Ｔ１〜１２Ｔ３２又は受光プローブ１３Ｒ１〜１３Ｒ３２が挿入されたかが認識されるように、各送光プローブ１２Ｔ１〜１２Ｔ３２には、異なる番号（Ｔ１、Ｔ２、・・・）がそれぞれ振り当てられ、各受光プローブ１３Ｒ１〜１３Ｒ３２にも、異なる番号（Ｒ１、Ｒ２、・・・）がそれぞれ振り当てられている。そして、各送光プローブ１２Ｔ１〜１２Ｔ３２と各受光プローブ１３Ｒ１〜１３Ｒ３２とは、対応する番号の各貫通孔１０ａにそれぞれ挿入されることになる。
【００１０】
図１１は、３２個の送光プローブ１２Ｔ１〜１２Ｔ３２と３２個の受光プローブ１３Ｒ１〜１３Ｒ３２との位置関係の一例を示す図である。なお、送光プローブ１２を丸で示し、受光プローブ１３を四角で示す。このように３２個の送光プローブ１２Ｔ１〜１２Ｔ３２と３２個の受光プローブ１３Ｒ１〜１３Ｒ３２とを配置して、順番に１個ずつ送光プローブ１２から光を照射させるとともに、３２個の受光プローブ１３Ｒ１〜１３Ｒ３２に頭皮表面から放出される光を入射させることによって、Ｎ箇所の測定部位に関する受光量情報ΔＡｎ（λ１）、ΔＡｎ（λ２）、ΔＡｎ（λ３）（ｎ＝１、２、・・・、Ｎ）を得ている。
【００１１】
そして、Ｎ個の受光量情報ΔＡｎ（λ１）、ΔＡｎ（λ２）、ΔＡｎ（λ３）を所定時間間隔Δｔで得ていくことで、関係式（１）（２）（３）を用いて、オキシヘモグロビンの濃度変化・光路長積[oxyHb]の経時変化Ｘｎ（ｔ）、デオキシヘモグロビンの濃度変化・光路長積[deoxyHb]の経時変化Ｙｎ（ｔ）及び総ヘモグロビンの濃度変化・光路長積（[oxyHb]＋[deoxyHb]）の経時変化Ｚｎ（ｔ）（ｎ＝１、２、・・・、Ｎ）を求めている。
【００１２】
ところで、上述したようなホルダを用いて脳の活動状況の測定を行う際には、３２本の送光用光ファイバ３０ａの重量と３２本の受光用光ファイバ４０ａの重量が被検者にかかることになるため、これを軽減するために、光ファイバ保持台１８０が使用されている。光ファイバ保持台１８０は、上下方向に伸びた長さ２ｍの上下円筒状部材１８１と、円筒状部材１８１の上部に形成された水平方向に伸びた長さ０．５ｍの水平円筒状部材１８２と、上下円筒状部材１８１の下部の板状体に形成された４個の車輪１８３とを備える。これにより、光ファイバ保持台１８０を被検者の傍に配置し、３２本の送光用光ファイバ３０ａと３２本の受光用光ファイバ４０ａとを水平円筒状部材１８２に係止した後、ホルダ１０の貫通孔１０ａに３２個の送光プローブ１２Ｔ１〜１２Ｔ３２と３２個の受光プローブ１３Ｒ１〜１３Ｒ３２とを固定し、その状態で脳の活動状況の測定を行っている（図８参照）。
【００１３】
そして、測定終了後には、ホルダ１０の貫通孔１０ａから３２個の送光プローブ１２Ｔ１〜１２Ｔ３２と３２個の受光プローブ１３Ｒ１〜１３Ｒ３２とを取り外し、光脳機能イメージング装置１０１を片付けることになる。このとき、３２本の送光用光ファイバ３０ａと３２本の受光用光ファイバ４０ａとを水平円筒状部材１８２に係止した状態で保管している（図７参照）。
【先行技術文献】
【特許文献】
【００１４】
【特許文献１】特開２００６−１０９９６４号公報
【考案の概要】
【考案が解決しようとする課題】
【００１５】
しかしながら、測定終了後に光脳機能イメージング装置１０１を片付ける際には、図７に示すように、光ファイバ保持台１８０に送光用光ファイバ３０ａと受光用光ファイバ４０ａとを係止することになるが、それらの光ファイバ３０ａ、４０ａが絡まってしまうという難点があった。このような絡まりは光ファイバに損傷を与えるだけではなく、次回の測定時には絡まりをほどくための時間が必要となって非常に手間がかかるという問題があった。
そこで、本考案は、送光用光ファイバや受光用光ファイバが絡まることを防止することができ、対応する番号の送光プローブや対応する番号の受光プローブを容易に探し出すことができる光ファイバ保持台及びそれを備える光測定装置を提供することを目的とする。
【課題を解決するための手段】
【００１６】
上記課題を解決するためになされた本考案の光ファイバ保持台は、被検者の頭皮表面上に配置されるＡ個の送光プローブと、当該頭皮表面上に配置されるＢ個の受光プローブと、筐体を有し、当該筐体の内部に光を出射する発光部と当該光を検出する光検出部とを備える装置本体と、Ａ本の送光用光ファイバからなる送光用光ファイバ群と、Ｂ本の受光用光ファイバからなる受光用光ファイバ群とを備え、１本の送光用光ファイバは１個の送光プローブと発光部とが設定長さで離れるように、両端部に１個の送光プローブと発光部とを接続し、１本の受光用光ファイバは１個の受光プローブと光検出部とが設定長さで離れるように、両端部に１個の受光プローブと光検出部とを接続する光測定装置に用いられる光ファイバ保持台であって、前記送光用光ファイバの先端部における各送光プローブを各固定位置に固定するとともに、前記受光用光ファイバの先端部における各受光プローブを各固定位置に固定するための固定部を有し、各送光プローブと各受光プローブとには異なる番号がそれぞれ振り当てられるとともに、各固定位置には異なる番号がそれぞれ振り当てられており、各送光プローブと各受光プローブとは、対応する番号の固定位置にそれぞれ固定されるようになっていることを特徴としている。
【００１７】
ここで、「設定長さ」とは、任意の長さであり、送光用光ファイバが接続された送光プローブ等が、被検者の頭皮表面に装着されたホルダ等に挿入するために必要な距離となり、例えば２ｍ以上１０ｍ以下となる。
また、「Ａ個」や「Ｂ個」とは、任意の個数であり、例えば３２個等となる。
【考案の効果】
【００１８】
以上のように、本考案の光ファイバ保持台によれば、各送光プローブと各受光プローブとは、対応する番号の固定位置にそれぞれ固定されて独立した状態で保管されるので、光ファイバどうしの絡まりを防止することができる。また、各送光プローブと各受光プローブとは、対応する番号の固定位置にそれぞれ固定されるので、対応する番号の送光プローブや受光プローブを容易に探し出すことができる。
【００１９】
（その他の課題を解決するための手段及び効果）
また、本考案の光ファイバ保持台においては、前記固定部は、複数個の分割固定部に分離されているようにしてもよい。
さらに、本考案の光ファイバ保持台においては、各分割固定部には、Ａ個より少ないＣ個の送光プローブと、Ｂ個より少ないＤ個の受光プローブとがそれぞれ固定されるようになっているようにしてもよい。
【００２０】
そして、本考案の光測定装置は、被検者の頭皮表面上に配置されるＡ個の送光プローブと、当該頭皮表面上に配置されるＢ個の受光プローブと、筐体を有し、当該筐体の内部に光を出射する発光部と当該光を検出する光検出部とを備える装置本体と、Ａ本の送光用光ファイバからなる送光用光ファイバ群と、Ｂ本の受光用光ファイバからなる受光用光ファイバ群とを備え、１本の送光用光ファイバは１個の送光プローブと発光部とが設定長さで離れるように、両端部に１個の送光プローブと発光部とを接続し、１本の受光用光ファイバは１個の受光プローブと光検出部とが設定長さで離れるように、両端部に１個の受光プローブと光検出部とを接続する光測定装置であって、前記送光用光ファイバの先端部における各送光プローブを各固定位置に固定するとともに、前記受光用光ファイバの先端部における各受光用プローブを各固定位置に固定するための固定部を有する光ファイバ保持台を備え、各送光プローブと各受光プローブとには異なる番号がそれぞれ振り当てられるとともに、各固定位置には異なる番号がそれぞれ振り当てられており、各送光用プローブと各受光用プローブとは、対応する番号の固定位置にそれぞれ固定されるようになっていることを特徴としている。
【図面の簡単な説明】
【００２１】
【図１】本考案に係る光脳機能イメージング装置の概略構成例を示すブロック図。
【図２】図１に示す装置の非使用時の外観の一例を示す斜視図。
【図３】図１に示す装置の測定時の外観の一例を示す斜視図。
【図４】光ファイバ保持台における固定部の説明図。
【図５】一対の送光プローブ及び受光プローブと、測定部位との関係を示す図。
【図６】従来の光脳機能イメージング装置の概略構成例を示すブロック図。
【図７】図６に示す装置の非使用時の外観の一例を示す斜視図。
【図８】図６に示す装置の測定時の外観の一例を示す斜視図。
【図９】送光（受光）プローブの一例を示す斜視図。
【図１０】ホルダの一例を示す斜視図。
【図１１】Ａ個の送光プローブとＢ個の受光プローブとの位置関係の一例を示す図。
【考案を実施するための形態】
【００２２】
以下、本考案の実施形態について図面を用いて説明する。なお、本考案は、以下に説明するような実施形態に限定されるものではなく、本考案の趣旨を逸脱しない範囲で種々の態様が含まれる。
【００２３】
図１は、本考案に係る光脳機能イメージング装置の概略構成の一例を示すブロック図である。また、図２は、非使用時の光脳機能イメージング装置の外観の一例を示す斜視図であり、図３は、測定時の光脳機能イメージング装置の外観の一例を示す斜視図である。なお、光脳機能イメージング装置１０１と同様のものについては、同じ符号を付している。
光脳機能イメージング装置１は、筐体９１を有する装置本体９０と、被検者の頭皮表面に装着させるホルダ１０と、３２個（Ａ個）の送光プローブ１２Ｔ１〜１２Ｔ３２と、３２個（Ｂ個）の受光プローブ１３Ｒ１〜１３Ｒ３２と、３２本（Ａ本）の送光用光ファイバ３０ａからなる送光用光ファイバ群３０と、３２本（Ｂ本）の受光用光ファイバ４０ａからなる受光用光ファイバ群４０と、送光用光ファイバ群３０及び受光用光ファイバ群４０が係止される光ファイバ保持台８０とにより構成される。
【００２４】
光ファイバ保持台８０は、第一棒状部材８１と第二棒状部材８２と第三棒状部材８３と固定部５０とを有する。
第一棒状部材８１は、上下方向に伸びた長さ０．５〜１ｍの円柱状部材８１ａと、円柱状部材８１ａが内部に挿入されることが可能な長さ０．５〜１ｍの円筒状部材８１ｂと、円柱状部材８１ａの下端部に形成された４個の車輪８１ｃとを備える。そして、円筒状部材８１ｂは、円柱状部材８１ａに対して上方に引き出してピン等８１ｄによって高さを保持することが可能となっている。すなわち第一棒状部材８１は長さ０．５ｍから２ｍまでの間で伸縮可能となっている。
【００２５】
第二棒状部材８２は長さ０．５〜１ｍの円筒状部材である。そして、第二棒状部材８２の一端部は、円筒状部材８１ｂの上端部に、角度変更保持機構（関節）８２ａを介して取り付けられている。これにより、第二棒状部材８２は、角度変更保持機構８２ａによって円筒状部材８１ｂに対する角度を変更保持することが可能となっている。なお、上記の角度変更保持機構としては、公知のものでよく、第二棒状部材８２は円筒状部材８１ｂに対してある平面で０°から３６０°までの任意の角度や数段階の角度に調整できればよく、例えば電気スタンド等に用いられる角度変更保持機構等が挙げられる。
【００２６】
第三棒状部材８３は長さ０．５〜１ｍの円筒状部材である。そして、第三棒状部材８３の一端部は、第二棒状部材８２の上端部（他端部）に、角度変更保持機構（関節）８３ａを介して取り付けられている。これにより、第三棒状部材８３は、角度変更保持機構８３ａによって第二棒状部材８２に対する角度を変更保持することが可能となっている。なお、上記の角度変更保持機構としては、公知のものでよく、第三棒状部材８３は第二棒状部材８２に対してある平面で０°から３６０°までの任意の角度や数段階の角度に調整できればよく、例えば電気スタンド等に用いられる角度変更保持機構等が挙げられる。また、第二棒状部材８２に対して第三棒状部材８３の角度が調整できる平面は、円筒状部材８１ｂに対して第二棒状部材８２の角度が調整できる平面と同一の平面となることが好ましい。
【００２７】
図４は、固定部５０を説明するための図である。固定部５０は、８個の分割固定部５１からなる。分割固定部５１は例えば直径５〜１０ｃｍの円板状体であり、中心から上方に伸びた長さ５〜１０ｃｍの中心棒状体５２を有する。そして、８個の分割固定部５１は、等間隔で円形状に並ぶように配置されて、各中心棒状体５２の上端部が水平に伸びた連結部材５３で互いに連結された後、第三棒状部材８３の他端部に上方に伸びた長さ１０〜２０ｃｍの棒状部材５４と角度変更保持機構（関節）５４ａとを介して取り付けられている。なお、上記の角度変更保持機構としては、公知のものでよく、棒状部材５４は第三棒状部材８３に対してある平面で０°から３６０°までの任意の角度や数段階の角度に調整できればよく、例えば電気スタンド等に用いられる角度変更保持機構等が挙げられる。また、第三棒状部材８３に対して棒状部材５４の角度が調整できる平面は、円筒状部材８１ｂに対して第二棒状部材８２の角度が調整できる平面と同一の平面となることが好ましい。
【００２８】
また、各分割固定部５１は、垂直方向に貫通する８個（（Ｃ＋Ｄ）個）の貫通孔（固定位置）５１ａが中心軸を中心として等間隔で円形状に並ぶように形成されている。第一の分割固定部５１に形成された各貫通孔５１ａには、時計回りに順番にＴ１、Ｒ１、Ｔ２、Ｒ２、・・、Ｔ８、Ｒ８となるように番号がそれぞれ振り当てられている。第二の分割固定部５１に形成された各貫通孔５１ａには、時計回りに順番にＴ９、Ｒ９、Ｔ１０、Ｒ１０、・・、Ｔ１６、Ｒ１６となるように番号がそれぞれ振り当てられている。このように各分割固定部５１に形成された各貫通孔５１ａには、時計回りに順番に番号がそれぞれ振り当てられている。
【００２９】
そして、１個の貫通孔５１ａの内周面には、円環形状のスポンジ等が配置されており、１個の送光プローブ１２（受光プローブ１３）が下からねじ込まれることで固定されるようになっている（図４（ａ）参照）。また、１個の送光プローブ１２（受光プローブ１３）が下方に引く抜かれることで貫通孔５１ａから取り外され、１本の送光用光ファイバ３０ａ（受光用光ファイバ４０ａ）が上から下に貫通孔５１ａ内を通過するように引き出されるようになっている（図４（ｂ）参照）。なお、送光用光ファイバ群３０と受光用光ファイバ群４０とは、第二棒状部材８２の側壁と第三棒状部材８３の側壁と棒状部材５４の側壁とに沿うようにテープ８５等を用いて固定されている。
【００３０】
このような光ファイバ保持台８０によれば、各送光プローブ１２Ｔ１〜１２Ｔ３２と各受光プローブ１３Ｒ１〜１３Ｒ３２とは、対応する番号（Ｔ１、Ｔ２、・・・、Ｒ１、Ｒ２、・・・）の貫通孔５１ａにそれぞれ固定されることになり、番号（Ｔ１、Ｔ２、・・・、Ｒ１、Ｒ２、・・・）がそれぞれ振り当てられた送光プローブ１２Ｔ１〜１２Ｔ３２と受光プローブ１３Ｒ１〜１３Ｒ３２とを容易に見つけることができるようになっている。また、各々が独立した状態で保管されるので、光ファイバどうしの絡まりを防止することができる。
【００３１】
次に、光ファイバ保持台８０を使用する使用方法について説明する。まず、医師や検査技師等は、光ファイバ保持台８０を被検者の傍に配置する。次に、医師や検査技師等は、円筒状部材８１ｂを円柱状部材８１ａに対して所望の長さだけ上方へ引き出して、ピン等８１ｄにより保持することで高さを調整する。次に、医師や検査技師等は、第二棒状部材８２を円筒状部材８１ｂに対して所望の角度で折り曲げ、さらに第三棒状部材８３を第二棒状部材８２に対して所望の角度で折り曲げ、さらに固定部５０を第三棒状部材８３に対して所望の角度で折り曲げて、固定部５０が被検者の頭上にくるように配置する。次に、医師や検査技師等は、第一の分割固定部５１の番号Ｔ１の貫通孔５１ａから送光プローブ１２Ｔ１を取り付し、ホルダ１０の番号Ｔ１の貫通孔１０ａに送光プローブ１２Ｔ１を挿入する。また、第一の分割固定部５１の番号Ｒ１の貫通孔５１ａから受光プローブ１３Ｒ１を取り付し、ホルダ１０の番号Ｒ１の貫通孔１０ａに受光プローブ１３Ｒ１を挿入する。このようにして、分割固定部５１の貫通孔５１ａから３２個の送光プローブ１２Ｔ１〜１２Ｔ３２と３２個の受光プローブ１３Ｒ１〜１３Ｒ３２とを取り外し、ホルダ１０の貫通孔１０ａに３２個の送光プローブ１２Ｔ１〜１２Ｔ３２と３２個の受光プローブ１３Ｒ１〜１３Ｒ３２とを挿入する。そして、この状態で脳の活動状況の測定を行う（図３及び図４（ｂ）参照）。
【００３２】
そして、測定後には、ホルダ１０の貫通孔１０ａから番号Ｔ１の送光プローブ１２Ｔ１を取り外し、第一の分割固定部５１の番号Ｔ１の貫通孔５１ａに送光プローブ１２Ｔ１を取り付ける。また、ホルダ１０の貫通孔１０ａから番号Ｒ１の受光プローブ１３Ｒ１を取り外し、第一の分割固定部５１の番号Ｒ１の貫通孔５１ａに受光プローブ１３Ｒ１を取り付ける。このようにして、ホルダ１０の貫通孔１０ａから３２個の送光プローブ１２Ｔ１〜１２Ｔ３２と３２個の受光プローブ１３Ｒ１〜１３Ｒ３２とを取り外し、分割固定部５１の貫通孔５１ａに３２個の送光プローブ１２Ｔ１〜１２Ｔ３２と３２個の受光プローブ１３Ｒ１〜１３Ｒ３２とを取り付ける（図３及び図４（ａ）参照）。これらの作業が完了後、光脳機能イメージング装置１を片付ける。
【００３３】
＜他の実施形態＞
（１）上述した光ファイバ保持台８０において、分割固定部５１は、８個の貫通孔５１ａが等間隔で円形状に並ぶように形成されている構成としたが、送光プローブが固定されるための４個の貫通孔５１ａが等間隔で大円形状に並ぶととともに、受光プローブが固定されるための４個の貫通孔５１ａが等間隔で小円形状に並ぶ２重の円形状に形成されているような構成としてもよい。また、本実施形態においては４個（Ｃ個）の送光プローブ１２と４個（Ｄ個）の受光プローブ１３とが固定される構成としたが、２個（Ｃ個）の送光プローブと２個（Ｄ個）の受光プローブとが固定されるような構成としてもよく、送光プローブの個数（Ｃ個）と受光プローブの個数（Ｄ個）とを任意の個数としてもよい。
【００３４】
（２）上述した光ファイバ保持台８０において、分割固定部５１は、円板状体を有する構成としたが、直方状体を有するような構成としてもよく、送光プローブや受光プローブが固定されるための貫通孔が２列に並ぶように構成してもよい。
【００３５】
（３）上述した光ファイバ保持台８０において、固定部５０は、第三棒状部材８３の他端部に取り付けられている構成としたが、第三棒状部材の他端部に取り付け取り外し可能な構成としてもよい。これにより、様々な種類の固定部を準備しておき、適当な個数の送光プローブを固定するとともに、適当な個数の受光プローブを固定するための固定部を選択して使用することができるようになる。
【００３６】
（４）上述した光ファイバ保持台８０において、光ファイバ保持台８０は、第一棒状部材８１と第二棒状部材８２と第三棒状部材８３とを有する構成としたが、第一棒状部材と第二棒状部材と第三棒状部材と第四棒状部材とを有するような構成としてもよい。すなわち、３段階で角度が変更保持可能になっていてもよく、また４段階以上で角度が変更保持可能になっていてもよい。
【００３７】
（５）上述した光脳機能イメージング装置１において、３２個（Ａ個）の送光プローブ１２Ｔ１〜１２Ｔ３２と、３２個（Ｂ個）の受光プローブ１３Ｒ１〜１３Ｒ３２とを備える構成としたが、１６個（Ａ個）の送光プローブと８個（Ｂ個）の受光プローブとを備えるような構成としてもよく、送光プローブの個数（Ａ個）と受光プローブの個数（Ｂ個）とを任意の個数としてもよい。
【産業上の利用可能性】
【００３８】
本考案は、非侵襲で脳活動を測定する光脳機能イメージング装置等に利用することができる。
【符号の説明】
【００３９】
１、１０１：光脳機能イメージング装置（光測定装置）
２：発光部
３：光検出部
１０：ホルダ
１２：送光プローブ
１３：受光プローブ
２０：コンピュータ
３０：送光用光ファイバ群
３０ａ：送光用光ファイバ
４０：受光用光ファイバ群
４０ａ：受光用光ファイバ
５０：固定部
５１ａ：貫通孔（固定位置）
８０：光ファイバ保持台
８１：第一棒状部材
８２：第二棒状部材
８３：第三棒状部材
９０：装置本体
９１：筐体
【図１】
0003183129.tif 000003
【図２】
0003183129.tif 000004
【図３】
0003183129.tif 000005
【図４】
0003183129.tif 000006
【図５】
0003183129.tif 000007
【図６】
0003183129.tif 000008
【図７】
0003183129.tif 000009
【図８】
0003183129.tif 000010
【図９】
0003183129.tif 000011
【図１０】
0003183129.tif 000012
【図１１】
0003183129.tif 000013